(57)【要約】【課題】生体情報に関する個人情報がデータベースに記憶されることに対して、患者の合意を得ない状態で、生体情報に関する個人情報がデータベースに記憶されてしまったり、データベースから生体情報を読み出して医療機器に生体情報を転送してしまうという課題がある。【解決手段】患者の生体情報を取り扱う端末装置と、患者のＩＤ情報と、ＩＤ情報にひも付けされる生体情報とを記憶する記憶部と、データ記憶メモリを有し、端末装置と記憶部のうちの一方から、残りの他方に、生体情報を転送する転送装置と、を備え、転送装置は、患者からＩＤ情報を検出するＩＤ情報検出部と、患者の合意を確認する合意確認部とを有し、患者から検出したＩＤ情報と、記憶部から取得したＩＤ情報とが一致し、かつ、合意確認部によって患者の合意が確認されたとき、生体情報を転送する医療システムを提供する。【選択図】図１
2009271617.tif 000002
【特許請求の範囲】
【請求項１】
患者の生体情報を取り扱う端末装置と、
患者のＩＤ情報と、前記ＩＤ情報にひも付けされる生体情報とを記憶する記憶部と、
データ記憶メモリを有し、前記端末装置と前記記憶部のうちの一方から生体情報を取得し、残りの他方に、前記生体情報を転送する転送装置と、を備え、
前記転送装置は、患者からＩＤ情報を検出するＩＤ情報検出部と、前記生体情報を転送することに対する患者の合意を確認する合意確認部とを有し、患者から検出したＩＤ情報と、前記記憶部から取得したＩＤ情報とが一致し、かつ、前記合意確認部によって前記患者の合意が確認されたとき、前記生体情報を転送することを特徴とする医療システム。
【請求項２】
請求項１に記載の医療システムであって、
前記端末装置は、患者の生体情報を検出する生体情報検出装置であることを特徴とする医療システム。
【請求項３】
請求項１または請求項２に記載の医療システムであって、
前記端末装置は、患者の生体の一部を再生する生体再生装置であることを特徴とする医療システム。
【請求項４】
請求項１から請求項３のいずれか一項に記載の医療システムであって、
前記データ記憶メモリは、強誘電体材料から構成されることを特徴とする医療システム。
【請求項５】
請求項１から請求項４のいずれか一項に記載の医療システムであって、
前記端末装置は、データ記憶メモリを備え、
前記データ記憶メモリは、強誘電体材料から構成されることを特徴とする医療システム。
【発明の詳細な説明】
【技術分野】
【０００１】
本発明は、医療システムに関する。
【背景技術】
【０００２】
患者個人の病状を、患者に取り付けたセンサによって検出し、生体情報として取得し、その患者個人の治療に役立てるシステムが提案されている。例えば、特許文献１では、患者に取り付けたセンサによって、患者の体温を間欠的に検出し、検出した体温の情報を生体情報として、センサとともに備えられた電子タグの記憶手段に記憶するシステムが提案されている。
体温に限らず、血液成分の情報や遺伝子情報や臓器に関する情報などの患者個人に関する生体情報が、患者から検出され、電子タグに備えられた記憶手段にデータベースとして記憶される。また、電子タグに備えられた記憶手段に限らず、記憶手段としてのサーバーに患者から検出された生体情報が記憶される。
医師は、これらのデータベースにある患者個人の生体情報を患者に提示しながら、選択した医学的処置や治療方法を説明する。患者は、医師から提示された生体情報を確認し、選択された医学的処置や治療方法を承諾する。
【０００３】
【特許文献１】特開２００１−１８７６１１号公報
【発明の開示】
【発明が解決しようとする課題】
【０００４】
しかしながら、選択された医学的処置や治療方法を患者が承諾する以前に、既に、患者から検出された生体情報が、電子タグに備えられた記憶部やサーバーなどのデータベースに記憶されている。すなわち、患者が知らないうちに、患者の生体情報に関する個人情報がデータベースに記憶されてしまっていることになる。このように、生体情報に関する個人情報がデータベースに記憶されることに対して、患者の合意を得ない状態で、生体情報に関する個人情報がデータベースに記憶されてしまうという課題がある。
また、生体情報に関する個人情報を用いて、医療機器で患者の治療に当たるとき、患者の合意を得ない状態で、データベースから生体情報を読み出して医療機器に生体情報を転送してしまうという課題がある。
【課題を解決するための手段】
【０００５】
本発明は、上記課題の一部を解決するためになされたものであり、以下の形態または適用例として実現することが可能である。
【０００６】
［適用例１］患者の生体情報を取り扱う端末装置と、患者のＩＤ情報と、前記ＩＤ情報にひも付けされる生体情報とを記憶する記憶部と、データ記憶メモリを有し、前記端末装置と前記記憶部のうちの一方から生体情報を取得し、残りの他方に、前記生体情報を転送する転送装置と、を備え、前記転送装置は、患者からＩＤ情報を検出するＩＤ情報検出部と、前記生体情報を転送することに対する患者の合意を確認する合意確認部とを有し、患者から検出したＩＤ情報と、前記記憶部から取得したＩＤ情報とが一致し、かつ、前記合意確認部によって前記患者の合意が確認されたとき、前記生体情報を転送することを特徴とする医療システム。
【０００７】
この構成によれば、転送装置は、患者からＩＤ情報を検出するＩＤ情報検出部と、生体情報を転送することに対する患者の合意を確認する合意確認部とを有し、患者から検出したＩＤ情報と、記憶部から取得したＩＤ情報とが一致し、かつ、合意確認部によって患者の合意が確認されたとき、生体情報を転送する。これにより、生体情報に関する個人情報が端末装置や記憶部に転送されることに対して、患者の合意を得た後に、生体情報に関する個人情報が端末装置によって取り扱われたり、生体情報に関する個人情報が記憶部に記憶される。
【０００８】
従って、生体情報に関する個人情報がデータベースとしての記憶部に記憶されることに対して、患者の合意を得ない状態で、生体情報に関する個人情報がデータベースに記憶されてしまうことを防止できる。また、生体情報に関する個人情報を用いて、医療機器で患者の治療に当たるとき、患者の合意を得ない状態で、データベースから生体情報を読み出して医療機器に生体情報を転送してしまうということを防止できる。
【０００９】
［適用例２］前記端末装置は、患者の生体情報を検出する生体情報検出装置であることを特徴とする上記医療システム。
【００１０】
この構成によれば、生体情報検出装置によって検出された患者の個人情報である生体情報が、患者の合意を得ない状態で、データベースとしての記憶部に記憶されてしまうことを回避できる。
【００１１】
［適用例３］前記端末装置は、患者の生体の一部を再生する生体再生装置であることを特徴とする上記医療システム。
【００１２】
この構成によれば、記憶部に記憶された患者の個人情報である生体情報が、患者の合意を得ない状態で、生体再生装置に転送され、取り扱われてしまうことを回避できる。
【００１３】
［適用例４］前記データ記憶メモリは、強誘電体材料から構成されることを特徴とする上記医療システム。
【００１４】
この構成によれば、転送装置に備えられたデータ記憶メモリに記憶されたデータを読み出すと、データ記憶メモリには生体情報が残らない。これにより、転送装置から個人情報である生体情報が第３者によって読み取られることを防止することができる。
【００１５】
［適用例５］前記端末装置は、データ記憶メモリを備え、前記データ記憶メモリは、強誘電体材料から構成されることを特徴とする上記医療システム。
【００１６】
この構成によれば、端末装置に備えられたデータ記憶メモリに記憶されたデータを読み出すと、データ記憶メモリには生体情報が残らない。これにより、端末装置から個人情報である生体情報が第３者によって読み取られることを防止することができる。
【発明を実施するための最良の形態】
【００１７】
以下、実施例について図面に従って説明する。
（第１実施例）
図１は、第１実施例における医療システム１を構成するブロック図である。医療システム１は、端末装置としての生体情報検出装置１０と、記憶部としてのＩＣカード２０と、転送装置３０とから構成される。
【００１８】
生体情報検出装置１０は、センサ部１５を備え、患者の生体情報として、赤血球の個数、白血球の個数などの血液成分に関する情報、遺伝子情報などを検出することができる端末装置である。
【００１９】
生体情報検出装置１０に備えられたＣＰＵ１２は、ＲＯＭ１１に格納されたプログラムをＲＡＭ１６に読み出して、各種プログラムを実行させる。生体情報検出装置１０に備えられた送受信部１３とアンテナ１４は、送信機能と受信機能とを有し、電波による通信を行う。
【００２０】
センサ部１５によって検出された生体情報は、ＲＡＭ１６に記憶される。ＣＰＵ１２は、ＲＡＭ１６から生体情報を読み出し、送受信部１３に指示することにより、生体情報を転送装置３０に送信する。
【００２１】
ＩＣカード２０には、患者を識別できるＩＤ情報がデータ記憶メモリ２６に記憶されている。本実施例におけるＩＤ情報は、患者の指紋の画像情報であるが、眼底の画像情報でもよい。ＩＣカード２０に備えられたＣＰＵ２２は、ＲＯＭ２１に格納されたプログラムをＲＡＭ２５に読み出して、各種プログラムを実行させる。ＩＣカード２０に備えられた送受信部２３とアンテナ２４は、送信機能と受信機能とを有し、電波による通信を行う。
【００２２】
ＩＣカード２０のＣＰＵ２２は、データ記憶メモリ２６からＩＤ情報を読み出し、送受信部２３に指示することにより、ＩＤ情報を転送装置３０に送信する。
【００２３】
転送装置３０に備えられたＣＰＵ３６は、ＲＯＭ３２に格納されたプログラムをＲＡＭ３５に読み出して、各種プログラムを実行させる。転送装置３０に備えられた送受信部３７とアンテナ３８は、送信機能と受信機能とを有し、電波による通信を行う。
【００２４】
ＣＰＵ３６は、送受信部３７に指示することにより、生体情報検出装置１０から送信されたＩＤ情報や生体情報を受信する。受信されたＩＤ情報や生体情報は、データ記憶メモリ３３に格納される。
【００２５】
ＣＰＵ３６は、データ記憶メモリ３３からＩＤ情報や生体情報を読み出して、送受信部３７に指示することにより、ＩＣカード２０に送信することができる。すなわち、ＣＰＵ３６は、生体情報検出装置１０から送信されたＩＤ情報や生体情報を、ＩＣカード２０に転送することができる。
【００２６】
転送装置３０には、ＩＤ情報検出部３４が備えられる。患者がＩＤ情報検出部３４の指紋を検出する位置に指を置いたとき、ＩＤ情報検出部３４は、患者の指紋の画像情報を検出することができる。
【００２７】
転送装置３０には、例えば液晶からなる表示部３１が備えられ、メッセージを表示部３１に表示させることができる。
【００２８】
次に、転送装置３０に備えられたデータ記憶メモリ３３について説明する。データ記憶メモリ３３は、強誘電体材料からなるＦｅＲＡＭ（Ｆｅｒｒｏｅｌｅｃｔｒｉｃ  Ｒａｎｄｏｍ  Ａｃｃｅｓｓ  Ｍｅｍｏｒｙ）で構成される。このＦｅＲＡＭは、データが読み出されると、当該データをメモリ中に残さない所謂破壊読み出しとなる不揮発性メモリである。
【００２９】
図２は、転送装置３０に備えられたデータ記憶メモリ３３の一例を説明する図である。データ記憶メモリ３３は基板（Ｃｈｉｐ）４１を有し、この基板４１上には、強誘電体材料がデータの蓄積メモリとして構成される複数のメモリセル４２がマトリックス状に配列されている。
【００３０】
さらに、基板４１には複数のメモリセル４２から任意のメモリセル４２を選択するための選択信号Ｓ１が供給される選択線（以下ワードライン（ＷＬ、Ｗｏｒｄ  Ｌｉｎｅ）と呼ぶ）４３と、メモリセル４２に第１の電圧Ｖ１を供給するための第１の電圧供給線（以下ビットライン（ＢＬ、Ｂｉｔ  Ｌｉｎｅ）と呼ぶ）４４と、メモリセル４２に第２の電圧Ｖ２を供給する第２の電圧供給線（以下プレートライン（ＰＬ、Ｐｌａｔｅ  Ｌｉｎｅ）と呼ぶ）４５が形成され、メモリセル群４６となる。
【００３１】
加えて、基板４１上には、ＷＬ４３を介して選択信号Ｓ１を供給して任意のメモリセル４２を選択し、当該選択されたメモリセル４２にデータを書き込むデータ書込部５１と、ＷＬ４３を介して選択信号Ｓ１を供給して任意のメモリセル４２を選択し、当該選択されたメモリセル４２に書き込まれているデータを読み出すデータ読出部５２と、データ書込部５１によるデータの書き込み動作を制御するとともに、データ読出部５２によるデータ読み出し動作を制御する制御部５３とが備えられている。そして、メモリセル４２は、データ読出部５２によってデータが反転して読み出されると、データの再書き込み動作が行われず、その状態（反転状態）が維持される。
【００３２】
図３は、メモリセル群４６の構成について説明する図である。図２を用いて説明したように、メモリセル群４６は複数のメモリセル４２を備えており、さらに図２には示されていないが、ＷＬ４３に選択信号Ｓ１を供給するＷＬ駆動部４７、ＢＬ４４に第１の電圧Ｖ１を供給するＢＬ駆動部４８、及びＰＬ４５に第２の電圧Ｖ２を供給するＰＬ駆動部４９を備えている。そして、ＷＬ駆動部４７、ＢＬ駆動部４８、及びＰＬ駆動部４９はデータ書込部５１及びデータ読出部５２によって駆動される。
【００３３】
図４は、メモリセル４２の構成について説明する図である。図４に示すように、各メモリセル４２は、トランジスタ４２ａ及び強誘電体膜から構成されるキャパシタ（以下、強誘電体キャパシタと呼ぶ）４２ｂを有しており、トランジスタ４２ａのゲート端子にＷＬ４３が接続され、ドレイン端子（又はソース端子）にＢＬ４４が接続されている。
【００３４】
さらに、トランジスタ４２ａのソース端子（又はドレイン端子）に強誘電体キャパシタ４２ｂの一端子が接続され、強誘電体キャパシタ４２ｂの他端子にＰＬ４５が接続されている。なお、前述の強誘電体膜の材料として、例えば、ＰＺＴ（チタン酸ジルコン酸鉛）等のペロブスカイト化合物系又はＳＢＺ（チタン酸バリウム・ストロンチウム）等の層状ペロブスカイト化合物系が用いられる。
【００３５】
また、本実施例では、メモリセル４２の例として、所謂１Ｔ／１Ｃ型が示されているが、１Ｔ／１Ｃ型に限定されず、例えば、２Ｔ／２Ｃ型等であってもよい。
【００３６】
再び図３を参照すると、図示のＷＬ駆動部４７は行方向アドレスデコーダ（図示せず）を有しており、行方向アドレスデコーダによってアドレス選択されたＷＬ４３にデータの書き込み又は読み出しに応じた電位を供給する。ＢＬ駆動部４８は、列方向アドレスデコーダ及びセンスアンプ（ともに図示せず）を有しており、列方向アドレスデコーダによってアドレス選択されたＢＬ４４に、データの書き込み又は読み出しに応じた電位を供給する。
【００３７】
さらに、ＢＬ駆動部４８は、データの読み出し時においてＢＬ４４を介してセンスアンプに供給される電圧をセンスアンプで増幅し、増幅後の信号（読出しデータ）を外部（例えば、図１に示すＣＰＵ３６）に出力する。ＰＬ駆動部４９は行方向アドレスデコーダ（図示せず）を有しており、この行方向アドレスデコーダによってアドレス選択されたＰＬ４５にデータの書き込み又は読み出しに応じた電位を供給する。
【００３８】
ここで、メモリセル４２に画像データを書き込む動作について説明する。図１のＣＰＵ３６は、図２の制御部５３に書き込み指令を与えるとともにデータ書込部５１にデータを与える。データ書込部５１は、制御部５３による書き込み制御に従ってＷＬ駆動部４７、ＢＬ駆動部４８、及びＰＬ駆動部４９にデータに応じた書込み信号を供給する。
【００３９】
ＷＬ駆動部４７では、書込み信号に応じて任意のＷＬ４３を選択し、選択したＷＬ４３に選択信号を供給する。ＷＬ駆動部４７によって選択されたＷＬ４３上のメモリセル４２では、ゲート端子に選択信号が供給されて、トランジスタ４２ａがオン（ＯＮ）状態となる。
【００４０】
ＢＬ駆動部４８では、書込み信号に応じて任意のＢＬ４４を選択し、選択したＢＬ４４に第１の電圧Ｖ１を供給する。また、ＰＬ駆動部４９では、書込み信号に応じて任意のＰＬ４５に所定の第２の電圧Ｖ２を供給する。
【００４１】
例えば、ＢＬ４４に第１の電圧Ｖ１として０Ｖが印加され、ＰＬ４５に第２の電圧Ｖ２としてＶｃｃが印加されると、強誘電体キャパシタ４２ｂには「０」が書き込まれ、また、ＢＬ４４に第１の電圧Ｖ１としてＶｃｃが印加され、ＰＬ４５に第２の電圧Ｖ２として０Ｖが印加されると、強誘電体キャパシタ４２ｂには「１」が書き込まれる。そして、強誘電体キャパシタ４２ｂは、ＷＬ４３が非選択状態（トランジスタ４２ａがオフ（ＯＦＦ）状態）になっても書き込まれたデータ（書き込み状態）を保持する。
【００４２】
続いて、メモリセル４２に書き込まれたデータを読み出す動作について説明する。ＣＰＵ３６は制御部５３に読出し指令を与える。これによって、制御部５３はデータ読出部５２を読出し制御する（つまり、アドレス信号及び読出し制御信号をデータ読出部５２に与える）。データ読出部５２ではアドレス信号をＷＬ４３及びＰＬ４５を選択するためのＸデコード信号にデコードし、さらにセンスアンプ及びＢＬ４４を選択するためのＹデコード信号にデコードする。そして、データ読出部５２ではＸデコード信号をＷＬ駆動部４７及びＰＬ駆動部４９に与え、Ｙデコード信号をＢＬ駆動部４８に与える。つまり、データ読出部５２は、ＷＬ駆動部４７、ＢＬ駆動部４８、及びＰＬ駆動部４９に読出し信号を供給することになる。ＷＬ駆動部４７は、Ｘデコード信号（読出し信号）に応じて任意のＷＬ４３を選択し、選択したＷＬ４３に選択信号を供給する。ＷＬ駆動部４７により選択されたＷＬ４３上のメモリセル４２では、ゲート端子に選択信号が供給されると、トランジスタ４２ａがＯＮ状態となる。
【００４３】
ＢＬ駆動部４８では、Ｙデコード信号（読出し信号）に応じて任意のＢＬ４４を選択し、選択したＢＬ４４に第１の電圧Ｖ１を供給する。また、ＰＬ駆動部４９は、Ｘデコード信号（読出し信号）に応じて任意のＰＬ４５に第２の電圧Ｖ２を供給する。なお、前述の読出し制御信号はＢＬ４４及びＢＬ駆動部４８（センスアンプ）を動作させるタイミングを制御するために用いられる。
【００４４】
例えば、ＢＬ４４に第１の電圧Ｖ１として０Ｖが印加され、ＰＬ４５に第２の電圧Ｖ２としてＶｃｃが印加されると、強誘電体キャパシタ４２ｂの分極状態に応じた電圧がＢＬ４４を介してＢＬ駆動部４８のセンスアンプに供給される。センスアンプは、供給された電圧に応じて、「１」又は「０」を判断して読出しデータとして外部に出力する。例えば、読出しデータは図１のＣＰＵ３６に出力され、ＣＰＵ３６は送受信部３７に読出しデータを与える。なお、ＢＬ４４に出力された電圧は制御部５３によるＢＬ４４を選択するタイミングとセンスアンプを動作させるタイミングとに応じて増幅された後、外部に読出しデータとして出力されることになる。
【００４５】
強誘電体キャパシタ４２ｂでは、「１」が読み出された場合には、分極状態が「１」の状態から「０」の状態に反転し、この反転状態を維持する所謂破壊読み出しが行われる。なお、強誘電体キャパシタ４２ｂでは、「０」が読み出されると、分極状態の反転が生じないため、データの読み出し後も「０」が維持される。
【００４６】
図示のデータ記憶メモリ３３では、データの読み出しを行った後、データの再書き込み動作を行っておらず、このため、データ読出部５２によりデータ記憶メモリ３３からデータが読み出されると、データ記憶メモリ３３にはデータが存在しない状態となって実質的にデータを消去した状態となる。
【００４７】
次に、図１の転送装置３０の動作について説明する。図５は、図１の転送装置３０のＣＰＵ３６が、ＲＯＭ３２に格納されたプログラムをＲＡＭ３５に読み出して実行する処理のフローチャートである。
【００４８】
ステップＳ１００では、ＣＰＵ３６は、図１の矢印Ａ２に示すように、ＩＣカード２０から送信されたＩＤ情報を、受信することによって取得し、データ記憶メモリ３３に格納する。ステップＳ１０１では、ＩＤ情報検出部３４からＩＤ情報を取得し、取得したＩＤ情報をデータ記憶メモリ３３に格納する。本実施例では、患者の指紋情報を検出するが、患者の眼底画像情報などをＩＣカード２０から取得してもよい。
【００４９】
ステップＳ１０２では、ステップＳ１００においてＩＣカード２０から取得したＩＤ情報と、ＩＤ情報検出部３４を用いて取得したＩＤ情報とが一致するか否かを判定する。
【００５０】
一致する場合は（Ｙｅｓ）、ステップＳ１０３に進む。一致しない場合は（Ｎｏ）、ステップＳ１０５に進む。ステップＳ１０３では、ＣＰＵ３６は、図１の矢印Ａ１に示すように、生体情報検出装置１０から送信された生体情報を、送受信部３７に指示することによって受信し、転送装置３０のデータ記憶メモリ３３に格納する。
【００５１】
図６は、表示部３１に表示されるメッセージＭ１を示す図である。ステップＳ１０４では、ＣＰＵ３６は、表示部３１に図６のメッセージＭ１を表示する。そして、患者は図示しないキーボードまたはマウスを用いて、生体情報をＩＣカード２０に転送することに対して合意するか否かを選択する。
【００５２】
患者によるマウスやキーボードの操作結果から、合意した場合は（Ｙｅｓ）、ステップＳ１０６に進む。合意しなかった場合は（Ｎｏ）、ステップＳ１０５に進む。ステップＳ１０６では、ＣＰＵ３６はデータ記憶メモリ３３を読み込む。ステップＳ１０７では、ＣＰＵ３６は送受信部３７に指示することにより、図１の矢印Ａ３に示すように、ＩＤ情報と生体情報をＩＣカード２０に送信し、処理を終了する。ステップＳ１０５では、ＣＰＵ３６はデータ記憶メモリ３３を読み込み、処理を終了する。
【００５３】
本実施例における合意確認部は、表示部３１と、フローチャートにおけるステップＳ１０４の処理を行うプログラムによって構成される。本実施例では、文字を表示する表示部３１を用いて、合意するか否かを患者に通知したが、音声を出力する音声出力部を備え、患者に音声で通知してもよい。
【００５４】
以上、本実施例で説明した医療システム１は、患者の生体情報を取り扱う端末装置としての生体情報検出装置１０と、患者のＩＤ情報と、前記ＩＤ情報にひも付けされる生体情報とを記憶する記憶部としてのＩＣカード２０と、データ記憶メモリ３３を有し、生体情報検出装置１０とＩＣカード２０のうちの一方となる生体情報検出装置１０から生体情報を取得し、残りの他方となるＩＣカード２０に、前記生体情報を転送する転送装置３０と、を備え、転送装置３０は、患者からＩＤ情報を検出するＩＤ情報検出部３４と、前記生体情報を転送することに対する患者の合意を確認する合意確認部とを有し、患者から検出したＩＤ情報と、ＩＣカード２０から取得したＩＤ情報とが一致し、かつ、前記合意確認部によって前記患者の合意が確認されたとき、前記生体情報を転送することを特徴とする。
【００５５】
この構成によれば、転送装置３０は、患者からＩＤ情報を検出するＩＤ情報検出部３４と、生体情報を転送することに対する患者の合意を確認する合意確認部とを有し、患者から検出したＩＤ情報と、ＩＣカード２０から取得したＩＤ情報とが一致し、かつ、合意確認部によって患者の合意が確認されたとき、生体情報をＩＣカード２０に転送する。これにより、生体情報に関する個人情報がＩＣカード２０に転送されることに対して、患者の合意を得た後に、生体情報に関する個人情報がＩＣカード２０に記憶される。
【００５６】
従って、生体情報に関する個人情報が記憶部としてのＩＣカード２０に記憶されることに対して、患者の合意を得ない状態で、生体情報に関する個人情報がＩＣカード２０に記憶されてしまうことを防止できる。
【００５７】
また、データ記憶メモリ３３は、強誘電体材料から構成され、前述した破壊読み出しが行われる。前述したように、ＣＰＵ３６がデータ記憶メモリ３３に記憶されたＩＤ情報や生体情報を読み出すと、データ記憶メモリ３３に格納されたＩＤ情報や生体情報が消去される。（図５のステップＳ１０５、ステップＳ１０６参照）これにより、データ記憶メモリ３３を消去することなく、データ記憶メモリ３３に格納されたＩＤ情報や生体情報が消去される。
【００５８】
この構成によれば、データ記憶メモリ３３に記憶されたデータを読み出すと、データ記憶メモリ３３にはＩＤ情報や生体情報が残らない。これにより、データ記憶メモリ３３に格納されていたＩＤ情報や生体情報が転送装置３０からＩＣカード２０に転送されると、データ記憶メモリ３３に格納されたＩＤ情報や生体情報が第３者によって読み取られることを防止することができる。
【００５９】
（第２実施例）
第１実施例では、患者の生体情報を検出する生体情報検出装置１０を備えた医療システム１について説明したが、第２実施例では、患者の生体の一部を再生する生体再生装置を備えた医療システムについて説明する。図７は、第２実施例における医療システム１ａを構成するブロック図である。
【００６０】
図７に示す医療システム１ａは、図１の医療システム１における生体情報検出装置１０を生体再生装置６０に置き換えたもので、ＩＣカード２０、転送装置３０は、第１実施例で説明したものと同じである。
【００６１】
図７の生体再生装置６０は、生体の一部を再生する端末装置である。生体再生装置６０に備えられた生体再生部６５は、患者の遺伝子情報や内臓臓器の立体画像情報などの生体情報を用いて、生きた細胞や生体材料を三次元的に積層配置し、患者の臓器の一部を再生する。あるいは、生体再生部６５は、骨の一部や、皮膚の一部などの細胞を再生する機能を備えていてもよい。
【００６２】
生体再生装置６０に備えられたＣＰＵ６２は、ＲＯＭ６１に格納されたプログラムをＲＡＭ６６に読み出して、各種プログラムを実行させる。生体再生装置６０に備えられた送受信部６３とアンテナ６４は、送信機能と受信機能とを有し、電波による通信を行う。
【００６３】
次に、第２実施例における図７の転送装置３０の動作について説明する。図８は、第２実施例における図７の転送装置３０のＣＰＵ３６が、ＲＯＭ３２に格納されたプログラムをＲＡＭ３５に読み出して実行する処理のフローチャートである。
【００６４】
図８のステップＳ２００からステップＳ２０２は、第１実施例で説明した図５のステップＳ１００からステップＳ１０２の動作と同じである。ステップＳ２０２では、ＩＣカード２０から取得したＩＤ情報と、ＩＤ情報検出部３４によって検出したＩＤ情報とが一致するか否かを判定する。一致するときは（Ｙｅｓ）、ステップＳ２０３に進む。一致しないときは（Ｎｏ）、ステップＳ２０５に進む。
【００６５】
ステップＳ２０３では、記憶部としてのＩＣカード２０から送信された生体情報を、送受信部３７に指示することによって受信し、転送装置３０のデータ記憶メモリ３３に格納する。
【００６６】
図９は、第２実施例における表示部３１に表示されるメッセージＭ２を示す図である。ステップＳ２０４では、ＣＰＵ３６は、メッセージＭ２に示すように、転送装置３０のデータ記憶メモリ３３に格納された患者の生体情報を生体再生装置６０に転送することに対して合意するか否かを表示部３１に表示する。そして、患者は図示しないキーボードまたはマウスを用いて、生体情報を生体再生装置６０に転送することに対して合意するか否かを選択する。
【００６７】
ステップＳ２０４では、患者の生体情報を生体再生装置６０に転送することに対して、患者によるマウスやキーボードの操作結果から、患者が合意したか否かを判定する。合意した場合は（Ｙｅｓ）、ステップＳ２０６に進む。合意しなかった場合は（Ｎｏ）、ステップＳ２０５に進む。ステップＳ２０５では、ＣＰＵ３６は、データ記憶メモリ３３に格納された生体情報を読み込み、処理を終了する。
【００６８】
ステップＳ２０６では、ＣＰＵ３６は、データ記憶メモリ３３に格納された生体情報を読み込む。ステップＳ２０７では、図７の矢印Ａ１に示すように、読み出された生体情報を生体再生装置６０に送信する。
【００６９】
本実施例における合意確認部は、表示部３１と、フローチャートにおけるステップＳ２０４の処理を行うプログラムによって構成される。
【００７０】
以上、本実施例で説明した医療システム１ａは、端末装置として、患者の生体の一部を再生する生体再生装置６０を備える。
【００７１】
この構成によれば、ＩＣカード２０に記憶された患者の個人情報である生体情報が、患者の合意を得ない状態で、生体再生装置６０に転送され、取り扱われてしまうことを防止できる。
【００７２】
本実施例の医療システム１ａは、第１実施例の医療システム１における端末装置としての生体情報検出装置１０を、生体再生装置６０に置き換えたものであったが、記憶装置、転送装置３０、端末装置としての生体情報検出装置１０と生体再生装置６０とから構成される医療システム（不図示）であってもよい。
【００７３】
（第３実施例）
第３実施例では、端末装置にデータ記憶メモリを備えた医療システムについて説明する。図１０の医療システム１ｂにおける生体情報検出装置１０ｂは、第１実施例で説明した医療システム１の生体情報検出装置１０に、データ記憶メモリ１７を備えたものである。  
【００７４】
データ記憶メモリ１７は、強誘電体材料から構成され、ＣＰＵ１２によって、データ記憶メモリが読み出されると、前述の破壊読み出しが行われる。
【００７５】
この構成によれば、生体情報検出装置１０ｂのデータ記憶メモリ１７に格納されたＩＤ情報や生体情報が読み出されて、転送装置３０に転送されると、データ記憶メモリ１７に格納されていたＩＤ情報や生体情報が消去される。従って、生体情報検出装置１０ｂのデータ記憶メモリ１７に格納されたＩＤ情報や生体情報が読み出されることを防止できる。
【００７６】
（第４実施例）
第１実施例から第３実施例では、ＩＣカード２０と転送装置３０との通信方法や、転送装置３０と端末装置としての生体情報検出装置１０、生体再生装置６０との通信方法は、電波を用いた通信方法を用いていたが、通信回線を用いたネットワークによる通信方法を用いてもよい。
【００７７】
図１１は、第４実施例における医療システム１ｃの構成を示すブロック図である。医療システム１ｃは、生体情報検出装置１０ｃ、転送装置３０ｃ、記憶部としてのサーバー７０から構成される。
【００７８】
生体情報検出装置１０ｃは、第１実施例で説明した図１の生体情報検出装置１０の送受信部１３及びアンテナ１４を、ネットワーク・インターフェース（Ｉ／Ｆ）１８に置き換えたもので、ＲＯＭ１１、ＣＰＵ１２、ＲＡＭ１６、センサ部１５、ネットワーク・インターフェース（Ｉ／Ｆ）１８から構成される。
【００７９】
転送装置３０ｃは、第１実施例から第３実施例の転送装置３０の送受信部３７及びアンテナ３８を、ネットワーク・インターフェース（Ｉ／Ｆ）３９に置き換えたもので、表示部３１、ＲＯＭ３２、データ記憶メモリ３３、ＩＤ情報検出部３４、ＲＡＭ３５、ＣＰＵ３６、ネットワーク・インターフェース（Ｉ／Ｆ）３９から構成される。
【００８０】
生体情報検出装置１０ｃと転送装置３０ｃとは、ネットワーク回線Ｂ１によって通信を行う。また、転送装置３０ｃとサーバー７０とは、ネットワーク回線Ｂ２によって通信を行う。
【００８１】
生体情報検出装置１０ｃに備えられたセンサ部１５によって、患者の生体情報が検出され、ＲＡＭ１６に格納される。ＲＡＭ１６に記憶された生体情報は、ネットワークＩ／Ｆ１８、ネットワーク回線Ｂ１、ネットワークＩ／Ｆ３９を経由し、転送装置３０ｃのデータ記憶メモリ３３に格納される。
【００８２】
転送装置３０ｃのＣＰＵ３６は、図５のフローチャートを用いて第１実施例で説明したように、サーバー７０から取得したＩＤ情報と、転送装置３０ｃのＩＤ情報検出部３４によって検出されたＩＤ情報とが一致した場合に、転送装置３０ｃのデータ記憶メモリ３３に格納された生体情報をサーバー７０に転送することに対する合意が有るか無いかによって、生体情報をサーバー７０に転送するか否かを判定する。
【００８３】
（変形例）
第２実施例で説明した端末装置としての生体再生装置６０は、生体の一部を再生する装置であったが、患者のＩＤ情報や生体情報を用いて、患者の生体を治療する端末装置も適用できる。
【００８４】
また、端末装置と転送装置におけるＣＰＵ、ＲＡＭ、ＲＯＭ、データ記憶メモリを共用にし、端末装置と転送装置とを一体にした一つの装置であってもよい。
【図面の簡単な説明】
【００８５】
【図１】第１実施例における医療システムを構成するブロック図。
【図２】転送装置に備えられたデータ記憶メモリの一例を説明する図。
【図３】メモリセル群の構成について説明する図。
【図４】メモリセルの構成について説明する図。
【図５】第１実施例における処理のフローチャート。
【図６】表示部に表示されるメッセージを示す図。
【図７】第２実施例における医療システムを構成するブロック図。
【図８】第２実施例における処理のフローチャート。
【図９】表示部に表示されるメッセージを示す図。
【図１０】第３実施例における医療システムの構成を示すブロック図。
【図１１】第４実施例における医療システムの構成を示すブロック図。
【符号の説明】
【００８６】
１，１ａ，１ｂ…医療システム、１０，１０ｂ，１０ｃ…生体情報検出装置、１７，３３…データ記憶メモリ、３４…ＩＤ情報検出部、６０…生体再生装置。
【図１】
2009271617.tif 000003
【図２】
2009271617.tif 000004
【図３】
2009271617.tif 000005
【図４】
2009271617.tif 000006
【図５】
2009271617.tif 000007
【図６】
2009271617.tif 000008
【図７】
2009271617.tif 000009
【図８】
2009271617.tif 000010
【図９】
2009271617.tif 000011
【図１０】
2009271617.tif 000012
【図１１】
2009271617.tif 000013